(57)【要約】【課題】番組コンテンツを携帯端末で録画しなくても、通信を利用して当該携帯端末で番組コンテンツを再生可能なデジタル放送記録システムを提供すること。【解決手段】デジタル放送記録システムは、携帯端末及び記録装置を備える。携帯端末は、デジタル放送を受信する第１の放送受信部と、記録装置との通信を行う第１の通信部と、第１の放送受信部が受信したデジタル放送を記録する第１の記録部と、第１の放送受信部、第１の通信部及び第１の記録部を制御する第１の制御部とを有する。記録装置は、デジタル放送を受信する第２の放送受信部と、携帯端末との通信を行う第２の通信部と、第２の放送受信部が受信したデジタル放送を記録する第２の記録部と、第２の放送受信部、第２の通信部及び第２の記録部を制御する第２の制御部とを有する。携帯端末から記録装置にデジタル放送の番組コンテンツの録画を指示し、記録装置の第２の記録部が、番組コンテンツのデータを記録する。【選択図】図１
2010074495.tif 000002
【特許請求の範囲】
【請求項１】
携帯端末及び記録装置を備えたデジタル放送記録システムであって、
前記携帯端末は、
デジタル放送を受信する第１の放送受信部と、
前記記録装置との通信を行う第１の通信部と、
前記第１の放送受信部が受信したデジタル放送を記録する第１の記録部と、
前記第１の放送受信部、前記第１の通信部及び前記第１の記録部を制御する第１の制御部と、を有し、
前記記録装置は、
デジタル放送を受信する第２の放送受信部と、
前記携帯端末との通信を行う第２の通信部と、
前記第２の放送受信部が受信したデジタル放送を記録する第２の記録部と、
前記第２の放送受信部、前記第２の通信部及び前記第２の記録部を制御する第２の制御部と、を有し、
前記携帯端末から前記記録装置に前記デジタル放送の番組コンテンツの録画を指示し、前記記録装置の前記第２の記録部が、前記番組コンテンツのデータを記録することを特徴とするデジタル放送記録システム。
【請求項２】
前記携帯端末は、
データの選別を行うためのキーワード情報を管理するダイジェスト情報管理部を有し、
前記第１の制御部は、前記ダイジェスト情報管理部を制御し、
前記第１の記録部が、前記キーワード情報に基づいて、前記第１の放送受信部が受信したデジタル放送のダイジェストを記録することを特徴とする請求項１に記載のデジタル放送記録システム。
【請求項３】
前記携帯端末は、前記携帯端末の前記第１の記録部に記録されていないデータを、前記記録装置から前記第１の通信部で受信することを特徴とする請求項１から請求項２のいずれかに記載のデジタル放送記録システム。
【請求項４】
前記携帯端末の前記第１の記録部は、前記記録装置の前記第２の記録部に記録されている、前記記録装置の前記第２の通信部から前記携帯端末の前記第１の通信部へ送信されたデータを記録することを特徴とする請求項１〜３のいずれか一項に記載のデジタル放送記録システム。
【請求項５】
前記ダイジェスト情報管理部は、前記携帯端末に保持されているユーザ情報及び前記携帯端末で記録したコンテンツ情報を管理することを特徴とする請求項２〜４のいずれか一項に記載のデジタル放送記録システム。
【請求項６】
前記携帯端末は、前記デジタル放送の受信切断条件が満たされたとき、視聴していた番組コンテンツのコンテンツ情報に基づいて、前記記録装置に当該番組コンテンツの録画開始を要求する信号を送信することを特徴とする請求項１〜５のいずれか一項に記載のデジタル放送記録システム。
【請求項７】
前記携帯端末は、前記ダイジェスト管理部で管理されている前記キーワード情報及び視聴中の番組コンテンツのコンテンツ情報に基づいて、前記記録装置に前記番組コンテンツの録画開始を要求する信号を送信することを特徴とする請求項２〜６のいずれか一項に記載のデジタル放送記録システム。
【請求項８】
前記携帯端末は、前記ダイジェスト管理部で管理されている前記キーワード情報及び前記第１の通信部又は前記第１の放送受信部から取得される番組表情報に基づいて、前記記録装置に所定の番組コンテンツの録画開始を要求する信号を送信することを特徴とする請求項２〜７のいずれか一項に記載のデジタル放送記録システム。
【請求項９】
前記記録装置の前記第２の記録部に記録されているデータを、前記記録装置の前記第２の通信部から前記携帯端末の前記第１の通信部へ送信し、前記携帯端末の前記第１の記録部に記録されているデータを補間し、前記携帯端末は、前記第１の記録部に記録されているデータの再生又はデータの変更を行うことを特徴とする請求項１〜８のいずれか一項に記載のデジタル放送記録システム。
【発明の詳細な説明】
【技術分野】
【０００１】
本発明は、ユーザが情報を視聴する携帯端末と通信して記録再生するデジタル放送記録システムに関する。
【背景技術】
【０００２】
携帯端末や記録再生装置を用いて、それぞれ単独で映像データ等の録画や再生が行なえる。また、携帯端末で録画した映像データを記録再生装置で再生したり、記録再生装置で録画した映像データを携帯端末で再生できる。
【０００３】
それぞれ単独で機能させる技術だけではなく、連携して機能させる技術も提案されている。例えば、特許文献１には、携帯端末での視聴状況を当該携帯端末が記憶し、携帯端末から記録再生装置に当該記憶した情報を送ることによって、携帯端末での視聴状況を録画再生装置に反映させることができる携帯端末が示されている。
【０００４】
また、特許文献２には、ユーザが録画指示を直接与える第１の録画装置の録画能力に制限されずに、通信手段により多様な録画指示を与えることができる第２の録画装置について示されている。
【０００５】
【特許文献１】特開２００７−１９５２２９号公報
【特許文献２】特開２００７−５２１７３４号公報
【発明の開示】
【発明が解決しようとする課題】
【０００６】
上記説明した技術では、ユーザが携帯端末を用いて普段の嗜好とは異なる番組コンテンツを視聴したい場合、記録再生装置は当該番組コンテンツを録画していないため、再生できないという。
【０００７】
本発明の目的は、番組コンテンツを携帯端末で録画しなくても、通信を利用して当該携帯端末で番組コンテンツを再生可能なデジタル放送記録システムを提供することである。
【課題を解決するための手段】
【０００８】
本発明は、携帯端末及び記録装置を備えたデジタル放送記録システムであって、前記携帯端末は、デジタル放送を受信する第１の放送受信部と、前記記録装置との通信を行う第１の通信部と、前記第１の放送受信部が受信したデジタル放送を記録する第１の記録部と、前記第１の放送受信部、前記第１の通信部及び前記第１の記録部を制御する第１の制御部と、を有し、前記記録装置は、デジタル放送を受信する第２の放送受信部と、前記携帯端末との通信を行う第２の通信部と、前記第２の放送受信部が受信したデジタル放送を記録する第２の記録部と、前記第２の放送受信部、前記第２の通信部及び前記第２の記録部を制御する第２の制御部と、を有し、前記携帯端末から前記記録装置に前記デジタル放送の番組コンテンツの録画を指示し、前記記録装置の前記第２の記録部が、前記番組コンテンツのデータを記録するデジタル放送記録システムを提供する。
【０００９】
上記デジタル放送記録システムでは、前記携帯端末は、データの選別を行うためのキーワード情報を管理するダイジェスト情報管理部を有し、前記第１の制御部は、前記ダイジェスト情報管理部を制御し、前記第１の記録部が、前記キーワード情報に基づいて、前記第１の放送受信部が受信したデジタル放送のダイジェストを記録する。
【００１０】
上記デジタル放送記録システムでは、前記携帯端末は、前記携帯端末の前記第１の記録部に記録されていないデータを、前記記録装置から前記第１の通信部で受信する。
【００１１】
上記デジタル放送記録システムでは前記携帯端末の前記第１の記録部は、前記記録装置の前記第２の記録部に記録されている、前記記録装置の前記第２の通信部から前記携帯端末の前記第１の通信部へ送信されたデータを記録する。
【００１２】
上記デジタル放送記録システムでは、前記ダイジェスト情報管理部は、前記携帯端末に保持されているユーザ情報及び前記携帯端末で記録したコンテンツ情報を管理する。
【００１３】
上記デジタル放送記録システムでは、前記携帯端末は、前記デジタル放送の受信切断条件が満たされたとき、視聴していた番組コンテンツのコンテンツ情報に基づいて、前記記録装置に当該番組コンテンツの録画開始を要求する信号を送信する。
【００１４】
上記デジタル放送システムでは、前記携帯端末は、前記ダイジェスト管理部で管理されている前記キーワード情報及び視聴中の番組コンテンツのコンテンツ情報に基づいて、前記記録装置に前記番組コンテンツの録画開始を要求する信号を送信する。
【００１５】
上記デジタル放送記録システムでは、前記携帯端末は、前記ダイジェスト管理部で管理されている前記キーワード情報及び前記第１の通信部又は前記第１の放送受信部から取得される番組表情報に基づいて、前記記録装置に所定の番組コンテンツの録画開始を要求する信号を送信する。
【００１６】
上記デジタル放送記録システムでは、前記記録装置の前記第２の記録部に記録されているデータを、前記記録装置の前記第２の通信部から前記携帯端末の前記第１の通信部へ送信し、前記携帯端末の前記第１の記録部に記録されているデータを補間し、前記携帯端末は、前記第１の記録部に記録されているデータの再生又はデータの変更を行う。
【発明の効果】
【００１７】
本発明に係るデジタル放送記録システムによれば、番組コンテンツを携帯端末で録画しなくても、通信を利用して当該携帯端末で番組コンテンツを再生することができる。したがって、ユーザは、記録装置が録画した番組コンテンツを携帯端末で視聴することができる。
【発明を実施するための最良の形態】
【００１８】
以下、本発明の実施形態について、図面を参照して説明する。
【００１９】
（第１の実施形態）
携帯端末からの指示に応じて記録装置がデジタル放送の番組コンテンツを録画し、当該録画した番組コンテンツを携帯端末で再生する第１の実施形態のデジタル放送記録システムについて説明する。
【００２０】
図１は、第１の実施形態に係るデジタル放送記録システムの構成を示すブロック図である。図１に示すように、デジタル放送記録システムは、携帯端末１０８及び記録装置１１５を備える。なお、記録装置１１５は、据置き型、携帯型及び車載型のいずれであっても良い。
【００２１】
携帯端末１０８は、放送受信部１０１と、通信部１０２と、表示部１０３と、操作部１０４と、記録部１０５と、ダイジェスト情報管理部１０６と、制御部１０７とを備える。また、記録装置１１５は、放送受信部１０９と、通信部１１０と、操作部１１１と、記録部１１２と、記録情報管理部１１３と、制御部１１４とを備える。携帯端末１０８及び記録装置１１５はいずれもデジタル放送を受信することができ、互いに通信可能である。
【００２２】
以下、携帯端末１０８が備える各構成要素について説明する。放送受信部１０１は、デジタル放送を受信する。通信部１０２は、放送受信部１０１が受信したデジタル放送の番組で示されたコンテンツを所定のサーバ（図示せず）から受信し、かつ、記録装置１１５の通信部１１０と通信を行う。
【００２３】
表示部１０３は、放送受信部１０１が受信したデジタル放送のコンテンツ、記録部１０５に記録されたコンテンツ、及び通信部１０２が受信した記録装置１１５の記録部１１２に記録されているコンテンツを表示する。操作部１０４は、携帯端末１０８のユーザによる視聴や録画、再生等の指示を受け付ける。
【００２４】
記録部１０５は、ダイジェスト情報管理部１０６で管理しているユーザ情報に基づいてコンテンツの切り出しを行い、必要な部分のみの記録を行う。ダイジェスト情報管理部１０６は、携帯端末１０８に保持されている乗降記録や購買記録、文字入力の履歴といったユーザ情報と、記録したコンテンツの開始時間、終了時間及び切り出し位置等のコンテンツ情報とを管理する。制御部１０７は、放送受信部１０１、通信部１０２、表示部１０３、操作部１０４、記録部１０５及びダイジェスト情報管理部１０６を制御して、デジタル放送の録画や再生等を行う。
【００２５】
以下、記録装置１１５が備える各構成要素について説明する。なお、記録装置１１５は、好ましくは、記憶容量が大きい記録装置である。放送受信部１０９は、デジタル放送を受信する。通信部１１０は、放送受信部１０９が受信したデジタル放送の番組で示されたコンテンツを所定のサーバ（図示せず）から受信し、かつ、携帯端末１０８の通信部１０２と通信を行う。
【００２６】
操作部１１１は、放送受信部１０９が受信したデジタル放送のコンテンツ、及び記録部１１２に記録されたコンテンツの出力指示を受け付ける。また、操作部１１１は、記録装置１１５のユーザによる放送受信部１０９で受信したコンテンツの記録部１１２への記録、記録部１１２に記録されたコンテンツの再生及び切り出し等の指示を受け付ける。記録部１１２は、操作部１１１で指示された時間内の全てのコンテンツを記録する。通信部１１０は、操作部１１１で指示された全てのコンテンツを送信する。
【００２７】
記録情報管理部１１３は、記録部１１２に記録されたコンテンツの開始時間、終了時間及び出演者情報等を管理する。制御部１１４は、放送受信部１０９、通信部１１０、操作部１１１、記録部１１２及び記録情報管理部１１３を制御して、デジタル放送の録画や再生等を行う。
【００２８】
以上説明した本実施形態のデジタル放送記録システムにおける携帯端末１０８及び記録装置１１５の各動作について、図２及び図３を参照して説明する。
【００２９】
図２は、第１の実施形態のデジタル放送記録システムにおいて、携帯端末１０８が受信したデジタル放送を携帯端末１０８が記録し、記録装置１１５が録画するときのタイミングチャートである。図２に示すように、携帯端末１０８の操作部１０４がユーザからの録画開始要求を受け付け、携帯端末１０８の制御部１０７に通知する（ステップＳ１０１）。制御部１０７は、録画開始要求信号を記録装置１１５に送信するよう携帯端末１０８の通信部１０２に指示する（ステップＳ１０２）。
【００３０】
通信部１０２は、当該指示に応じて録画開始要求信号を記録装置１１５に送信する（ステップＳ１０３）。記録装置１１５は、録画開始応答信号を携帯端末１０８に送信する（ステップＳ１０４）。録画開始応答信号を受信した通信部１０２は、制御部１０７に録画開始送信完了を報告する（ステップＳ１０５）。録装置１１５は、ステップＳ１０３で携帯端末１０８から送信された録画開始要求信号に応じて、記録装置１１５の放送受信部１０９で受信した番組コンテンツの録画を開始する。
【００３１】
携帯端末１０８の制御部１０７は、携帯端末１０８の記録部１０５に記録開始要求を行う（ステップＳ１０６）。記録部１０５は、携帯端末１０８の放送受信部１０１で受信した番組コンテンツの記録を開始し（ステップＳ１０７）、記録開始応答を制御部１０７に送る（ステップＳ１０８）。
【００３２】
記録部１０５は、携帯端末１０８のダイジェスト情報管理部１０６にダイジェスト情報取得要求を行い（ステップＳ１０９）、ダイジェスト情報管理部１０６は、ダイジェスト情報と共にダイジェスト情報取得応答を記録部１０５に送る（ステップＳ１１０）。記憶部１０５は、取得したダイジェスト情報に基づいてコンテンツの切り出しを行い、ダイジェストとして切り出されたコンテンツを記録し、残りのデータは破棄する（ステップＳ１１１）。
【００３３】
この後、携帯端末１０８の操作部１０４がユーザからの録画停止要求を受け付け、携帯端末１０８の制御部１０７に通知する（ステップＳ１５１）。制御部１０７は、携帯端末１０８の記録部１０５に記録停止要求を行う（ステップＳ１５２）。記録部１０５は、番組コンテンツの記録を停止する（ステップＳ１５３）。
【００３４】
記録部１０５は、記録したデータのダイジェスト情報を作成するようダイジェスト情報管理部１０６に要求する（ステップＳ１５４）。ダイジェスト情報管理部１０６は、記録したデータの再生に必要なダイジェスト情報を作成し、ダイジェスト情報作成応答を記録部１０５に送る（ステップＳ１５５）。記録部１０５は、記録停止応答を制御部１０７に送る（ステップＳ１５６）。
【００３５】
制御部１０７は、録画停止要求信号を記録装置１１５に送信するよう通信部１０２に指示する（ステップＳ１５７）。通信部１０２は、当該指示に応じて録画停止要求信号を記録装置１１５に送信する（ステップＳ１５８）。記録装置１１５は、番組コンテンツの録画を停止して、録画停止応答信号を携帯端末１０８に送信する（ステップＳ１５９）。録画停止応答信号を受信した通信部１０２は、制御部１０７に録画停止送信完了を報告する（ステップＳ１６０）。
【００３６】
図３は、第１の実施形態のデジタル放送記録システムにおいて、携帯端末１０８に記録したデータ及び記録装置１１５に録画したデータを再生するときのタイミングチャートである。図３に示すように、携帯電話１０８の操作部１０４がユーザからの再生開始要求を受け付け、携帯端末１０８の制御部１０７に通知する（ステップＳ２０１）。制御部１０７は、携帯端末１０８の記録部１０５に再生開始要求を行う（ステップＳ２０２）。記録部１０５は、再生を開始し、再生開始応答を制御部１０７に送る（ステップＳ２０３）。
【００３７】
また、記録部１０５は、携帯端末１０８のダイジェスト情報管理部１０６にダイジェスト情報確認要求を行い（ステップＳ２０４）、ダイジェスト情報管理部１０６は、ダイジェスト情報確認応答を記録部１０５に送る（ステップＳ２０５）。さらに、記録部１０５は、ダイジェスト情報管理部１０６に記録されたダイジェスト情報に基づいて、記録部１０５に記録されていない部分のデータ取得を制御部１０７に要求する（ステップＳ２０６）。
【００３８】
制御部１０７は、データ送信要求信号を記録装置１１５に送信するよう携帯端末１０８の通信部１０２に指示する（ステップＳ２０７）。通信部１０２は、当該指示に応じてデータ送信要求信号を記録装置１１５に送信する（ステップＳ２０８）。記録装置１１５は、データ送信応答信号を携帯端末１０８に送信する（ステップＳ２０９）。データ送信応答信号を受信した通信部１０２は、データ取得応答を制御部１０７に報告し（ステップＳ２１０）、制御部１０７はデータ取得応答を記録部１０５に報告する（ステップＳ２１１）。記録装置１１５は、要求されたデータ送信を開始する（ステップＳ２１２）。通信部１０２が受信したデータは記録部１０５に送られる（ステップＳ２１３）。
【００３９】
この後、携帯端末１０８の操作部１０４がユーザからの再生停止要求を受け付け、携帯端末１０８の制御部１０７に通知する（ステップＳ２５１）。制御部１０７は、携帯端末１０８の記録部１０５に再生停止要求を行い（ステップＳ２５２）、記録部１０５は再生を停止する。
【００４０】
記録部１０５が記録装置１１５からデータを受信して再生している場合、記録部１０５は、制御部１０７にデータ送信停止要求を行う（ステップＳ２５３）。制御部１０７は、データ送信停止要求信号を記録装置１１５に送信するよう通信部１０２に指示する（ステップＳ２５４）。通信部１０２は、当該指示に応じてデータ送信停止要求信号を記録装置１１５に送信する（ステップＳ２５５）。記録装置１１５は、データ送信停止応答信号を携帯端末１０８に送信し（ステップＳ２５６）、携帯端末１０８へのデータ送信を停止する（ステップＳ２５７）。
【００４１】
データ送信停止応答信号を受信した通信部１０２は、制御部１０７にデータ送信停止応答を報告し（ステップＳ２５８）、制御部１０７はデータ送信停止応答を記録部１０５に報告する（ステップＳ２５９）。記録部１０５は、制御部１０７に再生終了応答を行う（ステップＳ２６０）。
【００４２】
以上説明したように、本実施形態のデジタル放送記録システムによれば、携帯端末１０８から記録装置１１５に番組コンテンツの録画を指示し、また、記録装置１１５で録画した番組コンテンツを携帯端末１０８で再生できる。
【００４３】
なお、本実施形態では、図３に示したように、携帯端末１０８が番組コンテンツを再生する際、携帯端末１０８は、記録装置１１５から送信されたデータにより再生を行う。しかし、携帯端末１０８の記憶部１０５に当該番組コンテンツのデータの一部が記録されている場合、記録装置１１５は、当該一部のデータを補完するだけのデータを携帯端末１０８に送信すれば良い。この場合、記録装置１１５から携帯端末１０８へのデータデータ伝送時間が短くなるため、携帯端末１０８のユーザが再生開始要求を行って実際に再生が開始されるまでの時間を短縮できる。
【００４４】
また、本実施形態では、図２に示したように、ユーザからの録画開始要求に応じて、携帯端末１０８が記録装置１１５に録画を指示する。しかし、ユーザからの録画開始要求がない場合であっても、ユーザが録画を望む番組コンテンツを携帯端末１０８が検出したとき、携帯端末１０８は記録装置１１５に録画を指示しても良い。この場合、ユーザが録画を所望していたが録画開始要求し忘れても、記録装置１１５には所望の番組コンテンツが録画される。
【００４５】
（第２の実施形態）
携帯端末においてデジタル放送の受信切断条件を満たしたときに、携帯端末からの指示で記録装置がデジタル放送の番組コンテンツを録画し、当該録画した番組コンテンツを携帯端末で再生する第２の実施形態のデジタル放送記録システムについて説明する。
【００４６】
第２の実施形態のデジタル放送記録システムが備える携帯端末１０８が有する放送受信部１０１は、デジタル放送を受信すると共に、電波状態に基づいたデジタル放送の切断の検出も行う。
【００４７】
図４は、第２の実施形態のデジタル放送記録システムにおいて、携帯端末１０８でデジタル放送視聴中にデジタル放送の受信切断条件を満たしたときのタイミングチャートである。図４に示すように、放送受信部１０１がデジタル放送の電波状態の悪化を検出する（ステップＳ３０１）と、放送受信部１０１は、視聴の継続が困難であることを示す受信切断条件検出通知を制御部１０７に送る（ステップＳ３０２）。制御部１０７は、録画開始要求信号を記録装置１１５に送信するよう携帯端末１０８の通信部１０２に指示する（ステップＳ３０３）。
【００４８】
通信部１０２は、当該指示に応じて録画開始要求信号を記録装置１１５に送信する（ステップＳ３０４）。記録装置１１５は、録画開始応答信号を携帯端末１０８に送信する（ステップＳ３０５）。録画開始応答信号を受信した通信部１０２は、制御部１０７に録画開始送信完了を報告する（ステップＳ３０６）。記録装置１１５は、ステップＳ３０４で携帯端末１０８から送信された録画開始要求信号に応じて、記録装置１１５の放送受信部１０９で受信した番組コンテンツの録画を開始する。
【００４９】
携帯端末１０８の制御部１０７は、放送受信部１０１が受信していた番組コンテンツの情報（以下「コンテンツ情報」という。）を取得するよう通信部１０２に指示する（ステップＳ３０７）。通信部１０２は、当該指示に応じて、図示しない所定のサーバからコンテンツ情報を取得する（ステップＳ３０８）。コンテンツ情報を取得した通信部１０２は、取得したコンテンツ情報と共にコンテンツ情報取得完了を制御部１０７に報告する（ステップＳ３０９）。
【００５０】
制御部１０７は、ステップＳ３０９で取得したコンテンツ情報が示す番組コンテンツの録画を記録装置１１５に要求した旨の情報（以下「記録情報」という。）を作成して記憶するよう記録部１０５に指示する（ステップＳ３１０）。記録部１０５は、当該指示に応じて記録情報を作成し記憶した（ステップＳ３１１）後、記録情報作成応答を制御部１０７に送る（ステップＳ３１２）。
【００５１】
この後、携帯端末１０８の制御部１０７は、ステップＳ３０９で取得したコンテンツ情報からコンテンツの終了時間を検出する（ステップＳ３５１）。制御部１０７は、録画停止要求信号を記録装置１１５に送信するよう携帯端末１０８の通信部１０２に指示する（ステップＳ３５２）。通信部１０２は、当該指示に応じて録画停止要求信号を記録装置１１５に送信する（ステップＳ３５３）。記録装置１１５は、番組コンテンツの録画を停止して、録画停止応答信号を携帯端末１０８に送信する（ステップＳ３５４）。録画停止応答信号を受信した通信部１０２は、制御部１０７に録画停止送信完了を報告する（ステップＳ３５５）。
【００５２】
図５は、第２の実施形態のデジタル放送記録システムにおいて、デジタル放送の受信切断条件を満たしたときに視聴していた番組コンテンツを再生するときのタイミングチャートである。なお、図５に示すタイミングチャートでは、図３のタイミングチャートに示されたステップＳ２０４及びＳ２０５の代わりに、以下説明するステップＳ４０１が行われ、ステップＳ２０６の代わりにステップＳ４０２が行われる。このステップ以外の処理は、図３のタイミングチャートに示された処理と同一であるため、図５には図３と同じ参照符号を付して説明を省略する。
【００５３】
図５に示されたステップＳ４０１では、携帯端末１０８の記録部１０５が、図４のタイミングチャートにおけるステップＳ３１１で記録部１０５が作成した記録情報を確認する。記録部１０５は、当該記録情報に基づいて、記録装置１１５に記録されたデータの取得を制御部１０７に要求する（ステップＳ４０２）。
【００５４】
以上説明したように、本実施形態のデジタル放送記録システムによれば、デジタル放送の電波状況が悪化し、携帯端末１０８でのデジタル放送の受信が困難になった場合、携帯端末１０８から記録装置１１５に番組コンテンツの録画を指示し、また、記録装置１１５で録画した番組コンテンツを携帯端末１０８で再生できる。
【００５５】
なお、本実施形態では、図４に示したように、デジタル放送の受信切断条件を満たしたとき、携帯端末１０８が記録装置１１５に録画を指示する。しかし、携帯端末１０８でのデジタル放送の視聴開始といったユーザ操作に応じて記録装置１１５に録画開始要求を行っても良い。この場合、携帯端末１０８におけるデジタル放送の受信状況によらず、確実に番組コンテンツを記録装置１１５に記録することができる。
【００５６】
また、本実施形態では、図４に示したように、コンテンツの終了時間に携帯端末１０８が記録装置１１５に録画停止要求を行う。しかし、携帯端末１０８から記録装置１１５への録画開始要求時にあらかじめ録画停止時間を通知しても良い。この場合、携帯端末１０８と記録装置１１５の間の通信が削減できる。また、コンテンツの終了時間に携帯端末１０８が記録装置１１５と通信を行えない状況下であっても、記録装置１１５は録画を停止できる。
【００５７】
また、本実施形態では、図４に示したように、携帯端末１０８の通信部１０２が所定のサーバからコンテンツ情報を取得し、携帯端末１０８は当該コンテンツ情報が示すコンテンツの終了時間に基づいて記録装置１１５に録画停止行う。しかし、記録装置１１５の通信部１１０が、所定のサーバからコンテンツ情報を取得しても良い。この場合、携帯端末１０８で行う処理が軽減される。また、コンテンツの終了時間に携帯端末１０８が記録装置１１５と通信を行えない状況下であっても、記録装置１１５は録画を停止できる。
【００５８】
（第３の実施形態）
携帯端末１０８でユーザの好みの番組コンテンツが視聴されていないときに、携帯端末からの指示で記録装置がデジタル放送の番組コンテンツを録画する第３の実施形態のデジタル放送記録システムについて説明する。
【００５９】
第３の実施形態のデジタル放送記録システムが備えるにおける携帯端末１０８が有する放送受信部１０１は、デジタル放送されている携帯端末１０８で視聴中の番組コンテンツ及び他の放送中の番組コンテンツのデータを受信する。また、携帯端末１０８の制御部１０７は、各構成要素を制御して、デジタル放送の録画や再生等を行うと共に、ダイジェスト情報管理部１０６が管理しているユーザ情報に基づいて、ユーザの好みに合致する番組コンテンツを判別する。
【００６０】
図６は、第３の実施形態のデジタル放送記録システムにおいて、携帯端末１０８でユーザの好みの番組コンテンツが視聴されていないときのタイミングチャートである。なお、図６に示すタイミングチャートには、図１のタイミングチャートに示された一部の処理と同一の処理が含まれ、この同一の処理には図２と同一の参照を付して説明を省略する。
【００６１】
図６に示すように、携帯端末１０８の制御部１０７は、デジタル放送で放送中の各番組コンテンツのコンテンツ情報を取得するよう携帯端末１０８の通信部１０２に指示する（ステップＳ５０１）。通信部１０２は、当該指示に応じて、図示しない所定のサーバからコンテンツ情報を取得する（ステップＳ５０２）。コンテンツ情報を取得した通信部１０２は、取得したコンテンツ情報と共にコンテンツ情報取得完了を制御部１０７に報告する（ステップＳ５０３）。
【００６２】
制御部１０７は、携帯端末１０８のダイジェスト情報管理部１０６にダイジェスト情報取得要求を行い（ステップＳ５０４）、ダイジェスト情報管理部１０６は、ダイジェスト情報と共にダイジェスト情報取得応答を制御部１０７に送る（ステップＳ５０５）。制御部１０７は、ステップＳ５０５で得られたダイジェスト情報に含まれるユーザ情報に基づいて、ステップＳ５０３で取得した各コンテンツ情報の番組コンテンツがユーザの好みに合致するかを判定する（ステップＳ５０６）。ユーザの好みに合致する番組コンテンツが放送されているとき、制御部１０７は、図２のタイミングチャートに示したステップＳ１０２〜Ｓ１１１の処理を行う。
【００６３】
ステップＳ１１１の後、携帯端末１０８の制御部１０７は、ステップＳ５０３で取得したコンテンツ情報からコンテンツの終了時間を検出する（ステップＳ５５１）。コンテンツの終了時間を検出した制御部１０７は、図２のタイミングチャートに示したステップＳ１０２〜Ｓ１１１の処理を行う。
【００６４】
第３の実施形態のデジタル放送記録システムにおいて、携帯端末１０８に記録したデータ及び記録装置１１５に録画したデータを再生するときの動作は、第１の実施形態で説明した図３のタイミングチャートと同様である。
【００６５】
以上説明したように、本実施形態のデジタル放送記録システムによれば、携帯端末１０８でユーザが好みの番組コンテンツが視聴されていないときでも、携帯端末１０８から記録装置１１５に当該ユーザが好みの番組コンテンツの録画を指示し、また、記録装置１１５で録画したこの番組コンテンツを携帯端末１０８で再生できる。なお、記録装置１１５で録画された番組コンテンツの内容に基づいて、ダイジェスト情報に含まれるユーザ情報を変更しても良い。
【００６６】
なお、本実施形態は、携帯端末１０８でユーザの好みの番組コンテンツが視聴されていないときを例に説明したが、携帯端末１０８が他の番組コンテンツを視聴又は録画している場合はこの例に含まれる。
【００６７】
また、本実施形態では、制御部１０７は、ステップＳ５０６で、ダイジェスト情報に含まれるユーザ情報に基づいて、各コンテンツ情報の番組コンテンツがユーザの好みに合致するかを判定する。制御部１０７は、番組コンテンツの判別における学習機能を有することにより、よりユーザの好みにあった番組コンテンツを取捨選択できる。
【００６８】
また、本実施形態では、図６に示したように、コンテンツの終了時間に携帯端末１０８が記録装置１１５に録画停止要求を行う。しかし、携帯端末１０８から記録装置１１５への録画開始要求時にあらかじめ録画停止時間を通知しても良い。この場合、携帯端末１０８と記録装置１１５の間の通信が削減できる。また、コンテンツの終了時間に携帯端末１０８が記録装置１１５と通信を行えない状況下であっても、記録装置１１５は録画を停止できる。
【００６９】
また、本実施形態では、図６に示したように、携帯端末１０８の通信部１０２が所定のサーバからコンテンツ情報を取得し、携帯端末１０８は当該コンテンツ情報が示すコンテンツの終了時間に基づいて記録装置１１５に録画停止行う。しかし、記録装置１１５の通信部１１０が、所定のサーバからコンテンツ情報を取得しても良い。この場合、携帯端末１０８で行う処理が軽減される。また、コンテンツの終了時間に携帯端末１０８が記録装置１１５と通信を行えない状況下であっても、記録装置１１５は録画を停止できる。
【００７０】
また、本実施形態では、携帯端末１０８のダイジェスト情報管理部１０６がダイジェスト情報を管理する。しかし、記録装置１１５がダイジェスト情報を管理し、携帯端末１０８は、記録装置１１５が管理するダイジェスト情報の保存のみ行えば、携帯端末１０８における記憶容量を削減できる。
【産業上の利用可能性】
【００７１】
本発明に係るデジタル放送記録システムは、携帯端末からの指示に応じて記録装置がデジタル放送の番組コンテンツを録画し、当該録画した番組コンテンツを携帯端末で再生するシステム等として有用である。
【図面の簡単な説明】
【００７２】
【図１】本発明の第１〜第３の実施形態におけるデジタル放送記録システムの構成を示すブロック図
【図２】第１の実施形態のデジタル放送記録システムにおいて、携帯端末が受信したデジタル放送を携帯端末が記録し、記録装置が録画するときのタイミングチャート
【図３】第１の実施形態のデジタル放送記録システムにおいて、携帯端末に記録したデータ及び記録装置に録画したデータを再生するときのタイミングチャート
【図４】第２の実施形態のデジタル放送記録システムにおいて、携帯端末でデジタル放送視聴中にデジタル放送の受信切断条件を満たしたときのタイミングチャート
【図５】第２の実施形態のデジタル放送記録システムにおいて、デジタル放送の受信切断条件を満たしたときに視聴していた番組コンテンツを再生するときのタイミングチャート
【図６】第３の実施形態のデジタル放送記録システムにおいて、携帯端末でユーザの好みの番組コンテンツが視聴されていないときのタイミングチャート
【符号の説明】
【００７３】
１０１  放送受信部
１０２  通信部
１０３  表示部
１０４  操作部
１０５  記録部
１０６  ダイジェスト情報管理部
１０７  制御部
１０８  携帯端末
１０９  放送受信部
１１０  通信部
１１１  操作部
１１２  記録部
１１３  記録情報管理部
１１４  制御部
１１５  記録装置
【図１】
2010074495.tif 000003
【図２】
2010074495.tif 000004
【図３】
2010074495.tif 000005
【図４】
2010074495.tif 000006
【図５】
2010074495.tif 000007
【図６】
2010074495.tif 000008